【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
断熱性のガラス張り要素（２００）であって、
ａ．スペーサフレーム（５０）によって結合された少なくとも１枚の第１のガラスシート（１０）および１枚の第２のガラスシート（１１）を含む、少なくとも１つの断熱板ガラス（１００）であって、前記スペーサフレームは、前記ガラスシートを互いに一定の距離に保ち、前記フレーム（５０）は、水平縁（１０１）および垂直縁（１０２）に沿って延在する、断熱板ガラス（１００）と、
ｂ．前記少なくとも２枚のガラスシート（１０、１１）の間の、断熱ガスを含む少なくとも１つの内部空間（１５）であって、前記水平縁（１０１）上の少なくとも１つの第１の周辺シール（１３）および１つの第２の周辺シール（１４）ならびに前記垂直縁（１０２）上の少なくとも１つの周辺シール（２７）によって閉鎖され、前記周辺シール（２７）は、前記内部空間（１５）の周りに位置決めされている、内部空間（１５）と、
ｃ．前記少なくとも１つの断熱板ガラス（１００）を支持する少なくとも１つの骨組み（２０１）であって、
ｉ．固定支持体（２１）、および
ｉｉ．前記ガラス張り要素の開放および／または閉鎖を可能にする、前記固定支持体（２１）に関節接合された可動支持体（２２）であって、横サッシがない可動支持体（２２）
を含む、骨組み（２０１）と
を含む、断熱性のガラス張り要素（２００）において、
−  前記スペーサフレーム（５０）は、透明樹脂製の少なくとも２つの垂直スペーサ（２５）と少なくとも２つの水平スペーサ（２６）とを含み、前記スペーサ（２５、２６）は一緒に接続されて前記フレーム（５０）を形成し、前記水平スペーサ（２６）は、少なくとも１つの第１のコンパートメント（１２）および１つの第２のコンパートメント（１７）を含む異形材で構成され、前記コンパートメントは、別個であり、かつ連続しており、前記第２のコンパートメント（１７）の厚さ（Ｂ）は、前記第１のコンパートメント（１２）の厚さ（Ａ）以下であり、
−  前記垂直縁（１０２）上の前記少なくとも１つの周辺シール（２７）は透明であり、
−  前記第２のコンパートメント（１７）は、前記第２の周辺シール（１４）と少なくとも接触していることを特徴とする、断熱性のガラス張り要素（２００）。
【請求項２】
前記垂直スペーサ（２５）および水平スペーサ（２６）が、前記第２のコンパートメント（１７）を介して前記垂直スペーサ（２５）と前記水平スペーサ（２６）とを連結する少なくとも１つの締結手段（２４）によって、一緒に接続されていることを特徴とする、請求項１に記載のガラス張り要素（２００）。
【請求項３】
前記水平スペーサ（２６）の前記第２のコンパートメント（１７）が、前記第１のコンパートメント（１２）の外側部分と並置されていることを特徴とする、請求項１または２に記載のガラス張り要素（２００）。
【請求項４】
前記第２のコンパートメント（１７）の前記厚さ（Ｂ）が、前記第１のコンパートメント（１２）の前記厚さ（Ａ）と比較して少なくとも１ｍｍ薄いことを特徴とする、請求項１〜３のいずれか一項に記載のガラス張り要素。
【請求項５】
前記第１のコンパートメント（１２）および第２のコンパートメント（１７）が中空であることを特徴とする、請求項１〜４のいずれか一項に記載のガラス張り要素（２００）。
【請求項６】
前記第１のコンパートメント（１２）および第２のコンパートメント（１７）が中実であることを特徴とする、請求項１〜４のいずれか一項に記載のガラス張り要素（２００）。
【請求項７】
前記第２の周辺シール（１４）を通過して、前記第２のコンパートメント（１７）を前記骨組みの前記可動支持体（２２）に接続し、かつ前記板ガラスを前記骨組み（２０１）の前記可動支持体（２２）へ取り付けることを可能にする、少なくとも１つの締結手段（１８）を含むことを特徴とする、請求項１〜６のいずれか一項に記載のガラス張り要素（２００）。
【請求項８】
前記第２の周辺シール（１４）が、シリコーン、ポリウレタンおよび変性シリコーンから選択される、構造機能を有するマスチックであることを特徴とする、請求項１〜７のいずれか一項に記載のガラス張り要素（２００）。
【請求項９】
前記第２の周辺シール（１４）に挿入された補強異形材（２０）を含むことを特徴とする、請求項１〜８のいずれか一項に記載のガラス張り要素（２００）。
【請求項１０】
前記締結手段（１８）が、鋼、亜鉛めっき鋼、ステンレス鋼または銅で作製されたねじで形成されることを特徴とする、請求項１〜９のいずれか一項に記載のガラス張り要素（２００）。
【請求項１１】
前記骨組み（２０１）の前記可動支持体（２２）が、前記骨組み（２０１）の前記可動支持体（２２）の前記水平部分に締結された少なくとも１つの関節接合部（１９）によって前記固定支持体（２１）に接続されていることを特徴とする、請求項１〜１０のいずれか一項に記載のガラス張り要素（２００）。
【請求項１２】
プライマー層が前記シール（２７）と前記ガラスシートとの間に位置決めされていることを特徴とする、請求項１〜１１のいずれか一項に記載のガラス張り要素（２００）。
【請求項１３】
プライマー層が前記シール（２７）と前記垂直スペーサ（２５）との間に位置決めされていることを特徴とする、請求項１〜１２のいずれか一項に記載のガラス張り要素（２００）。
【請求項１４】
プライマー層が、前記シール（２７）と前記ガラスシートとの間、および前記シール（２７）と前記垂直スペーサ（２５）との間に位置決めされていることを特徴とする、請求項１１または１２に記載のガラス張り要素（２００）。
【請求項１５】
前記板ガラス（１００）の熱伝達係数Ｕｇが、０．３〜１．８、好ましくは０．６〜１．８、および最も好ましくは１．０〜１．８Ｗ／ｍ２の範囲であることを特徴とする、請求項１〜１４のいずれか一項に記載のガラス張り要素（２００）。
【請求項１６】
請求項１〜１５のいずれか一項に記載の少なくとも１つのガラス張り要素（２００）を含む、冷蔵庫用キャビネット。
【請求項１７】
請求項１〜１４のいずれか一項に記載の少なくとも１つのガラス張り要素（２００）を含む、建物の窓。
【請求項１８】
透明樹脂製の少なくとも２つの垂直スペーサ（２５）および少なくとも２つの水平スペーサ（２６）を含む、断熱複層板ガラス（１００）用のスペーサフレーム（５０）であって、前記スペーサ（２５、２６）は一緒に接続されて前記フレーム（５０）を形成する、スペーサフレーム（５０）において、前記水平スペーサ（２６）は、少なくとも１つの第１のコンパートメント（１２）および１つの第２のコンパートメント（１７）を含む異形材で構成され、前記コンパートメントは、別個であり、かつ連続しており、前記第２のコンパートメント（１７）の厚さ（Ｂ）は、前記第１のコンパートメント（１２）の厚さ（Ａ）以下であることを特徴とする、スペーサフレーム（５０）。
【請求項１９】
前記水平スペーサ（２６）の前記第２のコンパートメント（１７）が、前記第１のコンパートメント（１２）の外側部分と並置されていることを特徴とする、請求項１８に記載のスペーサフレーム（５０）。
【請求項２０】
前記第２のコンパートメント（１７）の厚さ（Ｂ）が、前記第１のコンパートメント（１２）の前記厚さ（Ａ）と比較して少なくとも１ｍｍ薄いことを特徴とする、請求項１８または１９に記載のスペーサフレーム（５０）。
【請求項２１】
前記垂直スペーサ（２５）および水平スペーサ（２６）が、前記第２のコンパートメント（１７）を介して前記垂直スペーサ（２５）と前記水平スペーサ（２６）とを連結する少なくとも１つの締結手段（２４）によって、一緒に接続されていることを特徴とする、請求項１８〜２０のいずれか一項に記載のスペーサフレーム（５０）。
【請求項２２】
前記垂直スペーサ（２５）が、ポリメチルメタクリレート、ポリカーボネート、ポリスチレン、ポリ塩化ビニル、アクリロニトリル−ブタジエン−スチレン、ナイロンまたは前記化合物の混合物から選択された透明樹脂から形成されていることを特徴とする、請求項１８〜２１のいずれか一項に記載のスペーサフレーム（５０）。
【請求項２３】
少なくとも１つの第１のコンパートメント（１２）および１つの第２のコンパートメント（１７）を含む前記水平スペーサ（２６）が、単一の異形材から形成されるか、または少なくとも２つの異なる異形材の組み合わせによって形成されることを特徴とする、請求項１８〜２２のいずれか一項に記載のスペーサフレーム（５０）。